(57)【特許請求の範囲】
【請求項１】
閉じられた底部と、開口された先端部と、該先端部の閉鎖状態および開放状態を可能とするファスナ部と、を有する袋状の外袋と、
前記外袋の内部に設けられるとともに、基端側が前記外袋の内面に対して固定された内筒と、
を備え、
前記内筒は、前記ファスナ部による前記閉鎖状態が可能となるように、前記ファスナ部よりも前記底部側に位置するように折り畳まれる折り畳み状態と、該折り畳み状態から展開した場合に前記ファスナ部を超えて前記先端部側に伸張する展開状態と、を有し、
前記基端側とは反対側に位置する前記内筒の一端には、該内筒の他の部位よりも剛性がある高剛性部が設けられている袋体。
【請求項２】
前記内筒は、前記折り畳み状態とされることによって、該内筒の内側が閉塞されている請求項１に記載の袋体。
【請求項３】
閉じられた底部と、開口された先端部と、該先端部の閉鎖状態および開放状態を可能とするファスナ部と、を有する袋状の外袋と、
前記外袋の内部に設けられるとともに、基端側が前記外袋の内面に対して固定された内筒と、
を備え、
前記内筒は、前記ファスナ部による前記閉鎖状態が可能となるように、前記ファスナ部よりも前記底部側に位置するように折り畳まれる折り畳み状態と、該折り畳み状態から展開した場合に前記ファスナ部を超えて前記先端部側に伸張する展開状態と、を有し、
前記基端側とは反対側に位置する前記内筒の一端には、該内筒の他の部位よりも剛性がある高剛性部が設けられている袋体の使用方法であって、
前記外袋の内部に収容物を収容して保持する保持時には、前記ファスナ部を前記閉鎖状態とするとともに、前記内筒を前記折り畳み状態とし、
前記外袋の内部に収容された収容物を外部へ取り出す取出時には、前記ファスナ部を前記開放状態とするとともに、前記内筒を前記展開状態とする袋体の使用方法。
【請求項４】
前記保持時にて、前記内筒は、前記折り畳み状態とされることによって、該内筒の内側が閉塞されている請求項３に記載の袋体の使用方法。
【発明の詳細な説明】
【技術分野】
【０００１】
本発明は、チャックなどのファスナ部を備えた袋体及びその使用方法に関するものである。
【背景技術】
【０００２】
食料品や調味料などの収容物を樹脂製の袋の内部に収容し、開口する先端部をチャック（ファスナ部）で閉鎖することによって保存することが行われている。しかし、収容物がチャックを通過するときにチャックに付着し、チャックの密閉性が低下するおそれがある。また、チャックに収容物が残存することによって衛生上の問題が発生するおそれもある。
【０００３】
特許文献１には、チャックを閉鎖した状態で内容物を詰め込む構造を採用することによって、内容物を詰め込む際にチャックに内容物が付着しない発明が開示されている。
【先行技術文献】
【特許文献】
【０００４】
【特許文献１】特開２００４−１５５４４６号公報
【発明の概要】
【発明が解決しようとする課題】
【０００５】
しかし、特許文献１に記載された発明は、内容物を詰め込む際にはチャックに内容物は付着しないが、内容物を外部に取り出す際にはチャックに内容物が接触する構成となっている。したがって、内容物を取り出した後に保存する際にチャックを再び閉鎖状態にすると、チャックに内容物が付着しておりチャックの密閉性の低下や衛生上の問題が発生するおそれがある。
また、市販のチャック袋に液体を収容する場合、チャックが確実に閉じられていないとチャックの隙間部分に収容物が付着したり、液漏れが生じてしまうという問題がある。
【０００６】
本発明は、このような事情に鑑みてなされたものであって、ファスナ部への収容物の付着を可及的に防止することができる袋体及びその使用方法を提供することを目的とする。
また、確実に密封することができる袋体及びその使用方法を提供することを目的とする。
【課題を解決するための手段】
【０００７】
上記課題を解決するために、本発明の袋体及びその使用方法は以下の手段を採用する。
【０００８】
本発明の一態様に係る袋体は、閉じられた底部と、開口された先端部と、該先端部の閉鎖状態および開放状態を可能とするファスナ部と、を有する袋状の外袋と、前記外袋の内部に設けられるとともに、基端側が前記外袋の内面に対して固定された内筒と、を備え、前記内筒は、前記ファスナ部による閉鎖状態が可能となるように、前記ファスナ部よりも前記底部側に位置するように折り畳まれる折り畳み状態と、該折り畳み状態から展開した場合に前記ファスナ部を超えて前記先端部側に伸張する展開状態と、を有している。
【０００９】
外袋の内部に収容物が収容される。このとき、ファスナ部は閉鎖状態とされ、収容物が開口した先端部から袋体の外部へ流出しない。ファスナ部が閉鎖状態とされているときは、内筒はファスナ部よりも底部側に位置するように折り畳まれた折り畳み状態とされ、ファスナ部の閉鎖状態を妨げない。
外袋の内部に収容された収容物を袋体の外部に取り出すときは、ファスナ部を開放状態とするとともに、折り畳まれた内筒を展開してファスナ部を超えて先端部側に伸張した展開状態とする。このとき、内筒の基端側は外袋の内面に固定されているので、外袋から分離されることはない。この展開状態で、収容物は内筒の内側を通過して袋体の外部へ取り出される。このとき、ファスナ部の内側には内筒が存在しているので、収容物がファスナ部に接触することはない。これにより、ファスナ部に収容物が付着することを可及的に防止することができる。
【００１０】
さらに、本発明の一態様に係る袋体では、前記内筒は、前記折り畳み状態とされることによって、該内筒の内側が閉塞されている。
【００１１】
折り畳み状態のときに内筒の内側が閉塞されるようになっているので、収容物を内筒で密閉することができる。さらにファスナ部で密閉することができるので、より確実に収容物を保存することができる。
例えば、内筒を複数回折り畳むことによって、より密閉性を向上させることができる。
【００１２】
さらに、本発明の一態様に係る袋体では、前記基端側とは反対側に位置する前記内筒の一端には、該内筒の他の部位よりも剛性がある高剛性部が設けられている。
【００１３】
基端側とは反対側に位置する内筒の一端（すなわち内筒の先端）に、内筒の他の部位よりも剛性がある高剛性部を設けることとした。これにより、折り畳み状態と展開状態とを使い分けるときに、内筒の一端に設けた高剛性部を掴んで操作できるので容易に作業を行うことができる。また、展開状態としたときに内筒の一端（先端）に高剛性部が設けられていることによって内筒の先端形状が安定することになり、収容物を容易に取り出すことができる。
高剛性部は、例えば筋状の凸状部や折り返し部を設けたり、厚さを厚くしたりして形成することができる。
【００１４】
本発明の一態様に係る袋体の使用方法は、閉じられた底部と、開口された先端部と、該先端部の閉鎖状態および開放状態を可能とするファスナ部と、を有する袋状の外袋と、前記外袋の内部に設けられるとともに、基端側が前記外袋の内面に対して固定された内筒と、を備え、前記内筒は、前記ファスナ部による閉鎖状態が可能となるように、前記ファスナ部よりも前記底部側に位置するように折り畳まれる折り畳み状態と、該折り畳み状態から展開した場合に前記ファスナ部を超えて前記先端部側に伸張する展開状態と、を有し、前記基端側とは反対側に位置する前記内筒の一端には、該内筒の他の部位よりも剛性がある高剛性部が設けられている袋体の使用方法であって、前記外袋の内部に収容物を収容して保持する保持時には、前記ファスナ部を前記閉鎖状態とするとともに、前記内筒を前記折り畳み状態とし、前記外袋の内部に収容された収容物を外部へ取り出す取出時には、前記ファスナ部を前記開放状態とするとともに、前記内筒を前記展開状態とする。
【００１５】
さらに、本発明の一態様に係る袋体の使用方法では、前記保持時にて、前記内筒は、前記折り畳み状態とされることによって、該内筒の内側が閉塞されている。
【発明の効果】
【００１６】
外袋の内部に内筒を設けることとしたので、ファスナ部に収容物が付着することを可及的に防止することができる。
【図面の簡単な説明】
【００１７】
【図１】本発明の一実施形態に係る袋体であり、内筒を折り畳んだ状態を示した正面図である。
【図２】図１の袋体の内筒を展開した状態を示した正面図である。
【図３】図１の外袋を示した斜視図である。
【図４Ａ】図３のチャック部の開放状態を示した部分拡大縦断面図である。
【図４Ｂ】図３のチャック部の閉鎖状態を示した部分拡大縦断面図である。
【図５】図１の内筒を示した斜視図である。
【図６】図１の内筒に設けた高剛性部を示した部分拡大縦断面図である。
【図７】図１の内筒の先端部側を折り畳んだ状態を示した袋体の部分拡大縦断面図である。
【図８】図７のチャック部の開放状態を示した袋体の部分拡大縦断面図である。
【図９】図８の内筒の先端部側を展開した状態を示した袋体の部分拡大縦断面図である。
【図１０】袋体に収容された収容物を取り出す状態を示した斜視図である。
【発明を実施するための形態】
【００１８】
以下に、本発明に係る袋体及びその使用方法の一実施形態について、図面を参照して説明する。
図１及び図２には袋体１が示されている。袋体１は、食料品や、塩、炒りごま等の調味料といった収容物を内部に収容する。収容物としては、液体や粉体が好適である。なお、収容物は食料品や調味料のような食品類に限らずそれ以外のものであってもよい。
【００１９】
袋体１は、外袋２と、外袋２の内部に設けられた内筒３とを備えている。図１は内筒３を折り畳んだ折り畳み状態を示し、図２は内筒を展開した展開状態を示している。
【００２０】
図３に示されているように、外袋２は、正面視した場合に縦長の矩形状とされた袋状とされている。外袋２は、ポリエチレンなどの樹脂材料とされ、可撓性を有している。ただし、外袋２の材料は、可撓性を有し袋として使用できるものであれば樹脂材料に限定されるものではない。
外袋２の先端部２ａは開口されており、底部２ｂ及び両側部２ｃ，２ｄは閉じられている。すなわち、外袋２は、先端部２ａのみが開口された有底の袋である。
【００２１】
外袋２の先端部２ａには、チャック部（ファスナ部）２ｅが設けられている。チャック部２ｅは、開口された先端部２ａの閉鎖状態と開放状態とを可能にする。チャック部２ｅは、外袋２の幅方向（一方の側部２ｃから他方の側部２ｃに向かう方向）に沿って延在している。
【００２２】
具体的には、図４Ａ及び図４Ｂに示すように、外袋２の内側に設けられた凸部２ｅ１と、凸部２ｅ１に対向する凹部２ｅ２とを備えている。本実施形態では、チャック部２ｅは、凸部２ｅ１とこれに対向する凹部２ｅ２との組み合わせが互いに平行に２対設けられている。しかし、これに限定されるものではなく、凸部２ｅ１とこれに対向する凹部２ｅ２との組み合わせは１対でも３対以上であっても良い。
【００２３】
凹部２ｅ２内に凸部２ｅ１が嵌合されることによって、図４Ｂのようにチャック部２ｅの閉鎖状態が得られる。図４Ａのように凸部２ｅ１と凹部２ｅ２とを離間させることによって開放状態が得られる。凸部２ｅ１と凹部２ｅ２は弾性を有する樹脂材料とされているので、閉鎖状態と開放状態とを交互に繰り返して使用することができる。
【００２４】
図５に示されているように、内筒３は、正面視した場合に矩形状とされた筒状とされている。内筒３は、ポリエチレンなどの樹脂材料とされ、可撓性を有している。ただし、内筒３の材料は、可撓性を有し筒として使用できるものであればこれに限定されるものではない。
内筒３の先端部３ａ及び底部（基端部）３ｂは開口されており、両側部３ｃ，３ｄは閉じられている。すなわち、内筒３は、先端部３ａ及び底部３ｂが開口されている。
【００２５】
内筒３の先端部３ａ側には、内筒３の他の部位よりも剛性がある高剛性部３ｅが設けられている。高剛性部３ｅは、図６に示すように、内筒３の幅方向（図５において左右方向）に延在する筋が形成されるように部分的に屈曲させた折り返し部３ｅ１を設けることによって形成することができる。または、高剛性部３ｅは、部分的に厚くした筋状の凸状部を設けたり、幅方向にわたって厚さを厚くした増厚部を設けたりしても良い。なお、高剛性部３ｅは省略することもできる。
【００２６】
内筒３は、先端部３ａ側から順次折り畳むことができるようになっている。図６には、模式的に折り畳み線３ｆが示されている。実際には折り畳み線３ｆは視認できるように印が付けられていない。ただし、折り畳み線３ｆを視認できるように例えば線状の印刷部（印）を設けても良い。図６に３本の折り畳み線３ｆが示されている通り、本実施形態では内筒の先端部３ａ側を３回折り畳むようになっている（例えば図７参照）。
【００２７】
内筒３の底部３ｂは、図１及び図２に示されているように、外袋２の内面に対して固定されている。具体的には、図７に示すように、内筒３の底部３ｂと外袋２とがヒートシールや接着剤による接着部５にて固定されている。接着部５は、外袋２及び内筒３の幅方向にわたって連続して形成されている。このように接着部５でシールすることで、袋体１の内部に収容された収容物が内筒３の外側と外袋２の内側との間に入り込むことがないようになっている。
【００２８】
図１及び図２に示すように、接着部５は、外袋２の縦方向（図１において上下方向）における中間位置（より具体的には中央位置）に設けられている。接着部５は、内筒３の底部３ｂに対応する位置に設けることが好ましいが、内筒３の先端部３ａ側にオフセットした位置に設けても良い。
【００２９】
内筒３の幅方向（図１において左右方向）の寸法は、外袋２の幅方向の寸法よりも僅かに小さくされている。これにより、外袋２の内面に対して内筒３をシワや隙間を形成することなく収納して接着部５にて固定することができる。
【００３０】
＜使用方法＞
次に、上述の袋体１の使用方法について説明する。
［密封状態］
図１に示した袋体１は、袋体１の内部に収容物を収容して保持する場合の密封状態を示している。このとき、外袋２の先端部２ａに設けたチャック部２ｅは閉鎖状態とされており、内筒３の先端部３ａ側が折り畳まれて外袋２内に収納されている。具体的には、図７に示すように、チャック部２ｅの凸部２ｅ１が対向する凹部２ｅ２に嵌合されている。また、内筒３の先端部３ａが３回折り畳まれており、これにより内筒３の内側が密閉された状態となっている。内筒３の先端部３ａ側を折り畳むときは、外袋２内の空気を外部に抜いた上で折り畳むことが好ましい。これにより収容物の酸化を防止することができる。図１及び図７に示した密封状態とすることで、外袋２内に収容された収容物は、折り畳まれた内筒３とチャック部２ｅの２ヶ所で二重に封がなされることになる。二重に封をして密封度が増すことで、品質保持や保存状態を良くすることができる。
【００３１】
内筒３は、図７のように折り畳み状態とされた場合には、チャック部２ｅよりも下方（外袋２の底部２ｂ側）に位置するようになる。これにより、内筒３がチャック部２ｅの閉鎖を妨げることがない。
【００３２】
［開封状態］
図１及び図７の密封状態から収容物を取り出すために袋体１を開封状態とするには、先ず、図８に示すように、チャック部２ｅを開放状態とする。具体的には、チャック部２ｅの凸部２ｅ１と凹部２ｅ２とを離間させる。
【００３３】
そして、図９に示すように、折り畳まれた内筒３の先端部３ａ側を展開して展開状態とする。この展開状態は図２にも示されている。内筒３を展開状態とすることによって、内筒３は、チャック部２ｅの内側さらには外袋２の先端部２ａを超えて延在する。このようにして袋体１を開封状態とする。
【００３４】
収容物を外部へ取り出す際には、図１０に示すように、内筒３の先端部３ａを下方へ傾ける。このとき、収容物は内筒３の内側を通り外部へと取り出されるので、チャック部２ｅに収容物が接触することはない。
【００３５】
上述した袋体１及びその使用方法によれば、以下の作用効果を奏する。
外袋２の内部に（場合によっては内筒３の内側まで）収容物が収容される。このとき、チャック部２ｅは閉鎖状態とされ、収容物が開口した先端部２ａから袋体１の外部へ流出しない。チャック部２ｅが閉鎖状態とされているときは、内筒３はチャック部２ｅよりも外袋２の底部２ｂ側に位置するように折り畳まれた折り畳み状態とされるので、チャック部２ｅの閉鎖状態を妨げない。
【００３６】
外袋２の内部に収容された収容物を袋体の外部に取り出すときは、チャック部２ｅを開放状態とするとともに、折り畳まれた内筒３を展開してチャック部２ｅを超えて外袋２の先端部２ａ側に伸張した展開状態とする。このとき、内筒３の底部３ｂ側は外袋２の内面に対して接着部５にて固定されているので、外袋２から分離されることはない。この展開状態で、収容物は内筒３の内側を通過して袋体１の外部へ取り出される。このとき、チャック部２ｅの内側には内筒３が存在しているので、収容物がチャック部２ｅに接触することはない。これにより、チャック部２ｅに収容物が付着することを可及的に防止することができる。
【００３７】
内筒３の折り畳み状態のときに内筒３の内側が閉塞されるようになっているので、収容物を内筒３で密閉することができる。さらにチャック部２ｅで密閉することができるので、より確実に収容物を保存することができる。
【００３８】
内筒の先端部３ａに、内筒３の他の部位よりも剛性がある高剛性部３ｅを設けることとした。これにより、折り畳み状態と展開状態とを使い分けるときに、内筒３の一端に設けた高剛性部３ｅを掴んで操作できるので容易に作業を行うことができる。また、展開状態としたときに内筒３の先端部３ａに高剛性部３ｅが設けられていることによって内筒３の先端形状が安定することになり、収容物を容易に取り出すことができる。
【００３９】
なお、上述した実施形態では、内筒３の先端部３ａ側を３回折り畳むこととしたが、本発明はこれに限定されるものではなく、折り畳み回数は１回や２回でも、あるいは４回以上であっても良い。
また、凸部２ｅ１と凹部２ｅ２とを有するチャック部２ｅとして説明したが、凸部２ｅ１と凹部２ｅ２が接近しするように押し付けて外袋２の幅方向に走行するスライダを設けても良い。
凸部２ｅ１と凹部２ｅ２とを有するチャック部２ｅを用いて説明したが、外袋２の開口を閉じることができるファスナ部であれば、その形態はチャック形式に限定されるものではない。
【符号の説明】
【００４０】
１  袋体
２  外袋
２ａ  先端部
２ｂ  底部
３ｃ  側部
２ｄ  側部
２ｅ  チャック部（ファスナ部）
３  内筒
３ａ  先端部
３ｂ  底部（基端部）
３ｃ  側部
３ｄ  側部
３ｅ  高剛性部
３ｅ１  折り返し部
５  接着部
【要約】
【課題】ファスナ部への収容物の付着を可及的に防止することができる袋体を提供する。
【解決手段】閉じられた底部２ｂと、開口された先端部２ａと、先端部２ａの閉鎖状態および開放状態を可能とするチャック部２ｅと、を有する袋状の外袋２と、外袋２の内部に設けられるとともに、底部３ｂ側が外袋２の内面に対して固定された内筒３と、を備え、内筒３は、チャック部２ｅによる閉鎖状態が可能となるように、チャック部２ｅよりも底部２ｂ側に位置するように折り畳まれる折り畳み状態と、折り畳み状態から展開した場合にチャック部２ｅを超えて先端部２ａ側に伸張する展開状態と、を有している。
【選択図】図２【図１】
0006850389.tif 000002
【図２】
0006850389.tif 000003
【図３】
0006850389.tif 000004
【図４Ａ】
0006850389.tif 000005
【図４Ｂ】
0006850389.tif 000006
【図５】
0006850389.tif 000007
【図６】
0006850389.tif 000008
【図７】
0006850389.tif 000009
【図８】
0006850389.tif 000010
【図９】
0006850389.tif 000011
【図１０】
0006850389.tif 000012